(57)【要約】【課題】重量規制のある上型の段取り替え作業時間を大幅に短縮できる振動溶着装置を提供する。【解決手段】本振動溶着装置１は、上型ベース部材７と、上型本体９と、を備え、上型ベース部材の下面側には、頭部８ａ側が吊り下げられるように各ボルト部材８がネジ止めされており、上型本体の縁部には、上型ベース部材に対する取付位置Ｓに上型本体を配置したときに、各ボルト部材の頭部側が挿通される貫通孔１３が複数形成されており、上型本体の下面側には、各貫通孔に応じて複数の挿入プレート１５が回動可能に設けられており、各挿入プレートは、操作レバー１６に連結されている。そして、上型ベース部材に対する取付位置に上型本体を配置した状態で、操作レバーを操作することにより、各挿入プレートが回動されてボルト部材の頭部と上型本体との間の隙間２１に挿脱される。【選択図】図２
2020199737.tif 000002
【特許請求の範囲】
【請求項１】
上型ベース部材と、前記上型ベース部材の下面側に対して複数のボルト部材により脱着可能に取り付けられる上型本体と、を備える振動溶着装置であって、
前記上型ベース部材の下面側には、頭部側が吊り下げられるように前記各ボルト部材がネジ止めされており、
前記上型本体の縁部には、前記上型ベース部材に対する取付位置に前記上型本体を配置したときに、前記各ボルト部材の頭部側が挿通される貫通孔が複数形成されており、
前記上型本体の下面側には、前記各貫通孔に応じて複数の挿入プレートが回動可能に設けられており、
前記各挿入プレートは、操作レバーに連結されており、
前記上型ベース部材に対する取付位置に前記上型本体を配置した状態で、前記操作レバーを操作することにより、前記各挿入プレートが回動されて前記ボルト部材の頭部と前記上型本体との間の隙間に挿脱されることを特徴とする振動溶着装置。
【請求項２】
前記挿入プレートは、前記隙間に挿脱可能なフック状の座金部を備える請求項１に記載の振動溶着装置。
【請求項３】
前記ボルト部材には、前記上型ベース部材と係合して該ボルト部材の緩め量を規制する規制部が設けられている請求項１又は２に記載の振動溶着装置。
【請求項４】
前記上型本体には、前記操作レバーが摺動するガイド部材が設けれており、
前記ガイド部材のガイド面には、エア抜き溝が形成されている請求項１乃至３のいずれか一項に記載の振動溶着装置。
【請求項５】
振動溶着装置を構成する上型ベース部材の下面側に対して複数のボルト部材により上型本体を取り付ける上型本体の取付方法であって、
前記上型ベース部材の下面側には、頭部側が吊り下げられるように前記各ボルト部材がネジ止めされており、
前記上型本体の縁部には、前記上型ベース部材に対する取付位置に前記上型本体を配置したときに、前記各ボルト部材の頭部側が挿通される貫通孔が複数形成されており、
前記上型本体の下面側には、前記各貫通孔に応じて複数の挿入プレートが回動可能に設けられており、
前記各挿入プレートは、操作レバーに連結されており、
前記上型ベース部材に対する取付位置に前記上型本体を配置した状態で、前記操作レバーを操作することにより、前記各挿入プレートが回動されて前記ボルト部材の頭部と前記上型本体との間の隙間に挿入され、その後、前記ボルト部材を締め付けて前記上型ベース部材に前記上型本体を取り付けることを特徴とする上型本体の取付方法。
【発明の詳細な説明】
【技術分野】
【０００１】
本発明は、振動溶着装置及び上型本体の取付方法に関し、更に詳しくは、上型ベース部材の下面側に対して複数のボルト部材により上型本体を脱着可能に取り付けてなる振動溶着装置及び上型本体の取付方法に関する。
【背景技術】
【０００２】
従来の振動溶着装置として、例えば、図８に示すように、上型ベース部材１０７と、上型ベース部材１０７の下面側に対して複数のボルト１０８により脱着可能に取り付けられる上型本体１０９と、を備える振動溶着装置１０１が一般に知られている。この振動溶着装置１０１では、上型ベース部材１０７への上型本体１０９の脱着の際（すなわち、上型の段取り替え作業の際）に、上部にある前面６個所と背面６個所、計１２個所のボルト１０８を作業者がトルクレンチを用いて締め、緩め作業を約２２０秒掛けて実施している。
【先行技術文献】
【特許文献】
【０００３】
【特許文献１】特開平０９−１２６０号公報
【特許文献２】特開平１０−１４６６１７号公報
【発明の概要】
【発明が解決しようとする課題】
【０００４】
しかし、上記従来の振動溶着装置１０１では、上型ベース部材１０７から上型本体１０９を外すためには、１２本のボルト１０８をすべて抜き取る必要があり、上型ベース部材１０７に上型本体１０９を取り付けるために、取り外したボルト１０８を再度すべて取り付ける必要がある。これにより、上型の段取り替え作業時間が長くなり生産性低下につながる。また、ボルト１０８を脱着する際、トルクレンチを用いるが、受けブロック等によりスペースが狭く何回も回す作業が煩雑である。さらに、上型本体１０９の落下防止のため、トルクレンチによるボルト締め付け荷重の保証が必要である。
なお、上記振動溶着装置では、通常、上型が振動方向に振動されるため、上型には重量規制がある。
【０００５】
ここで、上記特許文献１には、台ホルダと金型の基準孔に位置決めボルトを挿入し、台ホルダの下側に取り付けた遊動ナットにより、締め付けを行う構成により、金型の位置決めを簡単な操作で行うようにした迅速金型交換装置が開示されている。さらに、特許文献２には、操作レバーによって、上下方向に揺動する可動プレートにより、上型を容易に着脱可能にしたプレスブレーキの上型取付装置が開示されている。しかし、これら引用文献１、２の技術では、振動溶着装置の重量規制のある上型の段取り替え作業時間を大幅に短縮できない。
【０００６】
本発明は、上記現状に鑑みてなされたものであり、重量規制のある上型の段取り替え作業時間を大幅に短縮できる振動溶着装置及び上型本体の取付方法を提供することを目的とする。
【課題を解決するための手段】
【０００７】
上記問題を解決するために、請求項１に記載の発明は、上型ベース部材と、前記上型ベース部材の下面側に対して複数のボルト部材により脱着可能に取り付けられる上型本体と、を備える振動溶着装置であって、前記上型ベース部材の下面側には、頭部側が吊り下げられるように前記各ボルト部材がネジ止めされており、前記上型本体の縁部には、前記上型ベース部材に対する取付位置に前記上型本体を配置したときに、前記各ボルト部材の頭部側が挿通される貫通孔が複数形成されており、前記上型本体の下面側には、前記各貫通孔に応じて複数の挿入プレートが回動可能に設けられており、前記各挿入プレートは、操作レバーに連結されており、前記上型ベース部材に対する取付位置に前記上型本体を配置した状態で、前記操作レバーを操作することにより、前記各挿入プレートが回動されて前記ボルト部材の頭部と前記上型本体との間の隙間に挿脱されることを要旨とする。
請求項２に記載の発明は、請求項１記載の発明において、前記挿入プレートは、前記隙間に挿脱可能なフック状の座金部を備えることを要旨とする。
請求項３に記載の発明は、請求項１又は２に記載の発明において、前記ボルト部材には、前記上型ベース部材と係合して該ボルト部材の緩め量を規制する規制部が設けられていることを要旨とする。
請求項４に記載の発明は、請求項１乃至３のいずれか一項に記載の発明において、前記上型本体には、前記操作レバーが摺動するガイド部材が設けれており、前記ガイド部材のガイド面には、エア抜き溝が形成されていることを要旨とする。
上記問題を解決するために、請求項５に記載の発明は、振動溶着装置を構成する上型ベース部材の下面側に対して複数のボルト部材により上型本体を取り付ける上型本体の取付方法であって、前記上型ベース部材の下面側には、頭部側が吊り下げられるように前記各ボルト部材がネジ止めされており、前記上型本体の縁部には、前記上型ベース部材に対する取付位置に前記上型本体を配置したときに、前記各ボルト部材の頭部側が挿通される貫通孔が複数形成されており、前記上型本体の下面側には、前記各貫通孔に応じて複数の挿入プレートが回動可能に設けられており、前記各挿入プレートは、操作レバーに連結されており、前記上型ベース部材に対する取付位置に前記上型本体を配置した状態で、前記操作レバーを操作することにより、前記各挿入プレートが回動されて前記ボルト部材の頭部と前記上型本体との間の隙間に挿入され、その後、前記ボルト部材を締め付けて前記上型ベース部材に前記上型本体を取り付けることを要旨とする。
【発明の効果】
【０００８】
本発明の振動溶着装置によると、上型ベース部材の下面側には、頭部側が吊り下げられるように各ボルト部材がネジ止めされており、上型本体の縁部には、上型ベース部材に対する取付位置に上型本体を配置したときに、各ボルト部材の頭部側が挿通される貫通孔が複数形成されており、上型本体の下面側には、各貫通孔に応じて複数の挿入プレートが回動可能に設けられており、各挿入プレートは、操作レバーに連結されている。そして、上型ベース部材に対する取付位置に上型本体を配置した状態で、操作レバーを操作することにより、各挿入プレートが回動されてボルト部材の頭部と上型本体との間の隙間に挿脱される。これにより、上型の段取り替えの際に、挿入プレートがボルト部材の頭部と上型本体との間の隙間に挿入された状態で各ボルト部材が締め付けられるため、各ボルト部材の締め付け量及び緩め量が低減される。その結果、ボルト部材の締め付け及び緩め作業が容易となり、上型の段取り替え作業時間を大幅に短縮できる。さらに、ボルト部材、挿入プレート及び操作レバー等からなる脱着機構が簡易且つ軽量な構造であるため、重量規制のある上型で好適に用いられる。
また、前記挿入プレートが、前記隙間に挿脱可能なフック状の座金部を備える場合は、座金部が隙間に挿入された状態で各ボルト部材が効果的に締め付けられる。
また、前記ボルト部材に、前記上型ベース部材と係合して該ボルト部材の緩め量を規制する規制部が設けられている場合は、ボルト部材の過剰な緩め及び脱落を防止できる。
さらに、前記上型本体に、前記操作レバーが摺動するガイド部材が設けれており、前記ガイド部材のガイド面に、エア抜き溝が形成されている場合は、ガイド部材による操作レバーの摺動性が高められる。
本発明の上型本体の取付方法によると、上型ベース部材の下面側には、頭部側が吊り下げられるように各ボルト部材がネジ止めされており、上型本体の縁部には、上型ベース部材に対する取付位置に上型本体を配置したときに、各ボルト部材の頭部側が挿通される貫通孔が複数形成されており、上型本体の下面側には、各貫通孔に応じて複数の挿入プレートが回動可能に設けられており、各挿入プレートは、操作レバーに連結されている。そして、上型ベース部材に対する取付位置に上型本体を配置した状態で、操作レバーを操作することにより、各挿入プレートが回動されてボルト部材の頭部と上型本体との間の隙間に挿入され、その後、ボルト部材を締め付けて上型ベース部材に上型本体を取り付ける。これにより、上型の段取り替えの際に、挿入プレートがボルト部材の頭部と上型本体との間の隙間に挿入された状態で各ボルト部材が締め付けられるため、各ボルト部材の締め付け量及び緩め量が低減される。その結果、ボルト部材の締め付け及び緩め作業が容易となり、上型の段取り替え作業時間を大幅に短縮できる。さらに、ボルト部材、挿入プレート及び操作レバー等からなる脱着機構が簡易且つ軽量な構造であるため、重量規制のある上型で好適に用いられる。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る振動溶着装置の正面図である。
【図２】図１のＩＩ矢視拡大図である。
【図３】図２の要部拡大図であり、（ａ）は挿入プレートが隙間に挿入された状態を示し、（ｂ）は挿入プレートが隙間から抜き出された状態を示す。
【図４】図３のＩＶ−ＩＶ線断面図である。
【図５】図２のＶ−Ｖ線断面拡大図である。
【図６】上記振動溶着装置の作用（上型本体の取外作用）を説明するための説明図であり、（ａ）はボルト部材が緩められた状態を示し、（ｂ）は挿入プレートが隙間から抜き出された状態を示し、（ｃ）は上型本体が取付位置から下降した状態を示す。
【図７】上記振動溶着装置の作用（上型本体の取付作用）を説明するための説明図であり、（ａ）は上型本体が取付位置に上昇する状態を示し、（ｂ）は挿入プレートが隙間に挿入された状態を示し、（ｃ）はボルト部材が締め付けられた状態を示す。
【図８】従来の振動溶着装置の正面図である。
【発明を実施するための形態】
【００１０】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
＜振動溶着装置＞
本実施例に係る振動溶着装置は、例えば、図１〜図４に示すように、上型ベース部材（７）と、上型ベース部材（７）の下面側に対して複数のボルト部材（８）により脱着可能に取り付けられる上型本体（９）と、を備える振動溶着装置（１）であって、上型ベース部材（７）の下面側には、頭部（８ａ）側が吊り下げられるように各ボルト部材（８）がネジ止めされており、上型本体（９）の縁部には、上型ベース部材（７）に対する取付位置（Ｓ）に上型本体（９）を配置したときに、各ボルト部材（８）の頭部（８ａ）側が挿通される貫通孔（１３）が複数形成されており、上型本体（９）の下面側には、各貫通孔（１３）に応じて複数の挿入プレート（１５）が回動可能に設けられており、各挿入プレート（１５）は、操作レバー（１６）に連結されている。そして、例えば、図３及び図４に示すように、上型ベース部材（７）に対する取付位置（Ｓ）に上型本体（９）を配置した状態で、操作レバー（１６）を操作することにより、各挿入プレート（１５）が回動されてボルト部材（８）の頭部（８ａ）と上型本体（９）との間の隙間（２１）に挿脱される。
【００１２】
本実施例に係る振動溶着装置としては、例えば、図３及び図４に示すように、上記挿入プレート（１５）には、隙間（２１）に挿脱可能なフック状の座金部（１８）が設けられている形態が挙げられる。
【００１３】
本実施例に係る振動溶着装置としては、例えば、図６（ａ）に示すように、上記ボルト部材（８）には、上型ベース部材（７）と係合して該ボルト部材（８）の緩め量を規制する規制部（１１）が設けられている形態が挙げられる。
【００１４】
本実施例に係る振動溶着装置としては、例えば、図２及び図５に示すように、上記上型本体（９）には、操作レバー（１６）が摺動するガイド部材（２３）が設けれており、ガイド部材（２３）のガイド面（２４ｂ）には、エア抜き溝（２５）が形成されている形態が挙げられる。
【００１５】
＜上型本体の取付方法＞
本実施形態に係る上型本体の取付方法は、例えば、図１〜図４に示すように、振動溶着装置（１）を構成する上型ベース部材（７）の下面側に対して複数のボルト部材（８）により上型本体（９）を取り付ける上型本体の取付方法であって、上型ベース部材（７）の下面側には、頭部（８ａ）側が吊り下げられるように各ボルト部材（８）がネジ止めされており、上型本体（９）の縁部には、上型ベース部材（７）に対する取付位置（Ｓ）に上型本体（９）を配置したときに、各ボルト部材（８）の頭部（８ａ）側が挿通される貫通孔（１３）が複数形成されており、上型本体（９）の下面側には、各貫通孔（１３）に応じて複数の挿入プレート（１５）が回動可能に設けられており、各挿入プレート（１５）は、操作レバー（１６）に連結されている。そして、例えば、図７に示すように、上型ベース部材（７）に対する取付位置（Ｓ）に上型本体（９）を配置した状態で、操作レバー（１６）を操作することにより、各挿入プレート（１５）が回動されてボルト部材（８）の頭部（８ａ）と上型本体（９）との間の隙間（２１）に挿入され、その後、ボルト部材（８）を締め付けて上型ベース部材（７）に上型本体（９）を取り付ける。
【００１６】
なお、上記実施形態で記載した各構成の括弧内の符号は、後述する実施例に記載の具体的構成との対応関係を示すものである。
【実施例】
【００１７】
以下、図面を用いて実施例により本発明を具体的に説明する。
【００１８】
（１）振動溶着装置の構成
本実施例に係る振動溶着装置１は、図１に示すように、上型２及び下型３によりそれぞれ保持された２部品４ａ、４ｂを加圧しながら当接させ、それらの当接面に振動による摩擦熱を発生させて２部品４ａ、４ｂを溶着する。この振動溶着装置１は、上型２を振動方向Ｐに振動させる振動プレート５を備えている。
【００１９】
上記上型２は、上型ベース部材７と、上型ベース部材７の下面側に対して複数のボルト部材８により脱着可能に取り付けられる上型本体９と、を備えている。この上型ベース部材８は、振動プレート５に固定保持されている。また、上型本体９の下面側には、部品４ａを保持する保持部９ａが設けられている。
【００２０】
上記上型ベース部材７の下面側には、図２〜図４に示すように、頭部８ａ側が吊り下げられるように各ボルト部材８がネジ止めされている。これら各ボルト部材８は、上型２の振動方向Ｐに沿って並んで配置されている。さらに、各ボルト部材８には、上型ベース部材７と係合して該ボルト部材８の緩め量を規制する規制部１１が設けられている（図６（ａ）参照）。この規制部１１は、ボルト部材８のネジ部８ｂの先端側（具体的に、上型ベース部材７の上面側に突出した先端側）に設けられている。
【００２１】
上記上型本体９の縁部には、上型ベース部材７に対する取付位置Ｓに上型本体９を配置したときに、各ボルト部材８の頭部８ａ側が挿通される貫通孔１３が複数形成されている（図４参照）。この上型本体９の下面側には、各貫通孔１３に応じて複数（すなわち、複数の貫通孔１３の個数に応じた個数）の挿入プレート１５が回動可能に設けられている。
【００２２】
上記各挿入プレート１５は、長尺状に形成されている。これら各挿入プレート１５の長尺方向の中間部は、支持軸１７により貫通孔１３の軸と平行な軸回り（すなわち、上下方向回り）に回動自在に支持されている。また、各挿入プレート１５の長尺方向の一端側には、フック状の座金部１８が設けられている。この座金部１８は、貫通孔１３の一部を被覆し得る形状に形成されている。具体的に、座金部１８は、貫通孔１３の穴径よりも大きな外径及び小さな内径の円弧状に形成されている。さらに、各挿入プレート１５の長尺方向の他端側（すなわち、支持軸１７を挟んで座金部１８と反対側の端側）は、支持軸１９により操作レバー１６に回動自在に連結されている。この操作レバー１６は、上型２の振動方向Ｐに沿う長尺状に形成されている。
【００２３】
ここで、図３及び図４に示すように、上型ベース部材７に対する取付位置Ｓに上型本体９を配置した状態で、操作レバー１６を操作することにより、各挿入プレート１５が回動されて各座金部１８がボルト部材８の頭部８ａと上型本体９との間の隙間２１に挿脱される。
【００２４】
上記上型本体９には、図２及び図５に示すように、操作レバー１６の長尺方向の中間部が摺動する断面略コ字状のガイド部材２３が設けられている。このガイド部材２３は、操作レバー１６の上面及び下面が摺動する上側及び下側のガイド面２４ａ、２４ｂを有している。この下側のガイド面２４ｂには、複数（図２中で３本）のエア抜き溝２５が形成されている。これら各エア抜き溝２５は、操作レバー１６の長尺方向と交差するように配置されている。
【００２５】
上記下型３は、図１に示すように、下型ベース部材２７と、下型ベース部材２７の上面側に対して脱着可能に取り付けられる下型本体２９と、を備えている。この下型本体２９の上面側には、部品４ｂを保持する保持部２９ａが設けられている。なお、上記下型３は、図示しない移動機構により昇降可能に設けられている。
【００２６】
（２）振動溶着装置の作用
次に、上記構成の振動溶着装置１の上型２の段取り替え時の作用について説明する。図６（ａ）に示すように、下型３に設けられた支持部材３０により上型本体９を下方から支持した状態で、トルクレンチを用いて各ボルト部材８を僅かな緩め量（例えば、ボルト部材８の１回転等）で緩める。この緩め作業では、規制部１１が上型ベース部材７に係合することでボルト部材８の緩め量が所定値未満となることが規制される。次に、図６（ｂ）に示すように、操作レバー１６の操作により各挿入プレート１５を回動させて座金部１８を隙間２１から抜き出す。次いで、図６（ｃ）に示すように、下型３を下降させることで上型ベース部材７から上型本体９が取り外される。その後、下型３の支持部材３０から上型本体９を取り外し、下型３の支持部材３０に新たな上型本体９を支持する。
【００２７】
次に、図７（ａ）に示すように、下型３を上昇させることで支持部材３０により支持された上型本体９を上型ベース部材７に近接させる。次いで、図７（ｂ）に示すように、上型ベース部材７に対する取付位置Ｓに上型本体９を配置した状態で、操作レバー１６の操作により各挿入プレート１５を回動させて座金部１８を隙間２１に挿入する。その後、トルクレンチを用いて各ボルト部材８を僅かな締め付け量（例えば、ボルト部材の１回転等）で締め付けることで、上型ベース部材７に上型本体９が取り付けられる。
【００２８】
（３）実施例の効果
本実施例の振動溶着装置１によると、上型ベース部材７の下面側には、頭部８ａ側が吊り下げられるように各ボルト部材８がネジ止めされており、上型本体９の縁部には、上型ベース部材７に対する取付位置Ｓに上型本体９を配置したときに、各ボルト部材８の頭部８ａ側が挿通される貫通孔１３が複数形成されており、上型本体９の下面側には、各貫通孔１３に応じて複数の挿入プレート１５が回動可能に設けられており、各挿入プレート１５は、操作レバー１６に連結されている。そして、上型ベース部材７に対する取付位置Ｓに上型本体９を配置した状態で、操作レバー１６を操作することにより、各挿入プレート１５が回動されてボルト部材８の頭部８ａと上型本体９との間の隙間２１に挿脱される。これにより、上型２の段取り替えの際に、挿入プレート１５がボルト部材８の頭部８ａと上型本体９との間の隙間２１に挿入された状態で各ボルト部材８が締め付けられるため、各ボルト部材８の締め付け量及び緩め量が低減される。その結果、ボルト部材８の締め付け及び緩め作業が容易となり、上型２の段取り替え作業時間を大幅に短縮できる。さらに、ボルト部材８、挿入プレート１５及び操作レバー１６等からなる脱着機構が簡易且つ軽量な構造であるため、重量規制のある上型２で好適に用いられる。
【００２９】
また、本実施例では、挿入プレート１５は、隙間２１に挿脱可能なフック状の座金部１８を備える。これにより、座金部１８が隙間２１に挿入された状態で各ボルト部材８を効果的に締め付けることができる。
【００３０】
また、本実施例では、ボルト部材８には、上型ベース部材７と係合して該ボルト部材８の緩め量を規制する規制部１１が設けられている。これにより、ボルト部材８の過剰な緩め及び脱落を防止できる。
【００３１】
さらに、本実施例では、上型本体９には、操作レバー１６が摺動するガイド部材２３が設けれており、ガイド部材２３のガイド面２４ｂには、エア抜き溝２５が形成されている。これにより、ガイド部材２３による操作レバー１６の摺動性が高められる。
【００３２】
本実施例の上型本体の取付方法によると、上型ベース部材７の下面側には、頭部８ａ側が吊り下げられるように各ボルト部材８がネジ止めされており、上型本体９の縁部には、上型ベース部材７に対する取付位置Ｓに上型本体９を配置したときに、各ボルト部材８の頭部８ａ側が挿通される貫通孔１３が複数形成されており、上型本体９の下面側には、各貫通孔１３に応じて複数の挿入プレート１５が回動可能に設けられており、各挿入プレート１５は、操作レバー１６に連結されている。そして、上型ベース部材７に対する取付位置Ｓに上型本体９を配置した状態で、操作レバー１６を操作することにより、各挿入プレート１５が回動されてボルト部材８の頭部８ａと上型本体９との間の隙間２１に挿入され、その後、ボルト部材８を締め付けて上型ベース部材７に上型本体９を取り付ける。これにより、上型２の段取り替えの際に、挿入プレート１５がボルト部材８の頭部８ａと上型本体９との間の隙間２１に挿入された状態で各ボルト部材８が締め付けられるため、各ボルト部材８の締め付け量及び緩め量が低減される。その結果、ボルト部材８の締め付け及び緩め作業が容易となり、上型２の段取り替え作業時間を大幅に短縮できる。さらに、ボルト部材８、挿入プレート１５及び操作レバー１６等からなる脱着機構が簡易且つ軽量な構造であるため、重量規制のある上型２で好適に用いられる。
【００３３】
尚、本発明においては、上記実施例に限られず、目的、用途に応じて本発明の範囲内で種々変更した実施例とすることができる。すなわち、上記実施例では、上型２の振動方向Ｐに沿って並設されるボルト部材８及び挿入プレート１５を例示したが、これに限定されず、例えば、上型２の振動方向Ｐに交差する方向に沿って並設されるボルト部材８及び挿入プレート１５としてもよい。
【００３４】
また、上記実施例では、作業者により操作される操作レバー１６を例示したが、これに限定されず、例えば、シリンダ、モータ等の駆動源により作動される操作レバー１６としてもよい。
【００３５】
さらに、上記実施例では、下側のガイド面２４ｂに形成されるエア抜き溝２５を例示したが、これに限定されず、例えば、下側のガイド面に加えて又は替えて、上側のガイド面２４ａに形成されるエア抜き溝２５としてもよい。
【００３６】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３７】
本発明は上記で詳述した実施形態に限定されず、本発明の請求項に示した範囲で様々な変形または変更が可能である。
【産業上の利用可能性】
【００３８】
本発明は、振動溶着装置を構成する上型ベース部材に対して上型本体を脱着する技術として広く利用される。
【符号の説明】
【００３９】
１；振動溶着装置、７；上型ベース部材、８；ボルト部材、８ａ；頭部、１１；規制部、１３；貫通孔、１５；挿入プレート、１６；操作レバー、２１；隙間、２３；ガイド部材、２４ｂ；ガイド面、２５；エア抜き溝、Ｓ；取付位置。
【図１】
2020199737.tif 000003
【図２】
2020199737.tif 000004
【図３】
2020199737.tif 000005
【図４】
2020199737.tif 000006
【図５】
2020199737.tif 000007
【図６】
2020199737.tif 000008
【図７】
2020199737.tif 000009
【図８】
2020199737.tif 000010